(57)【特許請求の範囲】
【請求項１】
浴室壁に設けられた取付け穴の箇所に浴室壁の片面側から上記浴室壁に当接させる金具本体と、上記の取付け穴の径より大なる長さで浴室壁のもう一方の片面側から当接させる挟着用部材と、この挟着用部材と金具本体とを浴室壁に挟着させるボルト又はネジとからなり、上記の金具本体には中央にボルト又はネジを挿入できる穴が形成されかつこの穴の両側近傍に往路用接続管と復路用接続管を夫々挿通させる２つの挿通穴が形成され、さらに上記の挟着用部材には中央部に上記のボルト又はネジを螺合させるネジ穴が形成されている浴室用の接続管据付け金具。
【発明の詳細な説明】
【０００１】
【発明の属する技術分野】
本発明は、浴槽と給湯装置との間で湯水を循環させるために、浴槽の側面部に取付けられた湯水循環用接続具と、浴室外に設置された給湯装置とを接続する往路用接続管並びに復路用接続管を、浴室壁に設けた取付け穴に挿通させて保持するための浴室用の接続管据付け金具に関するものである。
【０００２】
【従来の技術】
一般的な浴槽においては、図７に示すように浴槽１の側面部２に取付けられた湯水循環用接続具３と、浴室外に設置した給湯装置（図示せず）とを、往路用接続管４並びに復路用接続管５で夫々接続し、これらの各接続管４，５を介して、浴槽１と給湯装置（図示せず）との間で湯水を強制循環させるようにしてある。
【０００３】
上記の各接続管４，５の据付け施工において、従来、往路用接続管４並びに復路用接続管５を据付ける場合は、浴室壁６（図示の場合はユニットバスの側壁）に２つの穴７，８を設け、貫通穴９（図８参照）を形成したボルト１０を浴室壁６の内面側（又は外面側）から各穴７，８に挿入し、このボルト１０に浴室壁６の外面側（又は内面側）からナット１１を取り付けて、ボルト１０とナット１１を浴室壁６に固定していた。
【０００４】
そしてこの各ボルト１０の貫通穴９に往路用接続管４又は復路用接続管５を夫々挿通し、その後、この往路用接続管４並びに復路用接続管５の各端を、浴室内の湯水循環用接続具３（図７参照）と、浴室外に設置した給湯装置（図示せず）とに接続していた。
【０００５】
しかしながら、上記のようなボルト１０とナット１１を使用して往路用接続管４並びに復路用接続管５を浴室壁６に据付けていたのでは、往路用接続管４用の穴７と復路用接続管５用の穴８とを浴室壁６の２か所に設けなければならず、浴室壁６が厚い場合や浴室壁６の周囲空間が狭い場合など、穿孔作業が大変であった。
【０００６】
また、上記のボルト１０とナット１１を浴室壁６の各穴７，８に取り付ける場合は、二人の作業員が浴室の内外に分かれ、例えば浴室内の作業員が各穴７，８にボルト１０を挿入して保持し、浴室外のもう一人の作業員がナット１１をボルト１０に螺合させ、伴回りを防止するために二人でボルト１０とナット１１を保持しながら、一方の作業員がボルト１０又はナット１１を回して浴室壁６に固定しなければならなかった。そのため、往路用接続管４並びに復路用接続管５の浴室壁６への据付け作業に手間取っていた。
【０００７】
【発明が解決しようとする課題】
本発明は上記のような点に鑑みて開発されたものであり、その目的とするところは、浴室壁の取付け穴に簡単に且つ短時間に作業員一人で取付けでき、且つ往路用接続管並びに復路用接続管を迅速に且つ簡単に浴室壁に挿着することができる浴室用の接続管据付け金具を提供することにある。
【０００８】
【課題を解決するための手段】
本発明は、上記の目的を有効に達成するために、次のような構成にしてある。すなわち、本発明の浴室用の接続管据付け金具は、浴室壁に設けられた取付け穴の箇所に浴室壁の片面側から上記浴室壁に当接させる金具本体と、上記の取付け穴の径より大なる長さで浴室壁のもう一方の片面側から当接させる挟着用部材と、この挟着用部材と金具本体とを浴室壁に挟着させるボルト又はネジとからなり、上記の金具本体には中央にボルト又はネジを挿入できる穴が形成されかつこの穴の両側近傍に往路用接続管と復路用接続管を夫々挿通させる２つの挿通穴が形成され、さらに上記の挟着用部材には中央部に上記のボルト又はネジを螺合させるネジ穴が形成されている構成にしてある。
【０００９】
【発明の実施の形態】
本発明の実施の形態を図に基づいて説明する。図１は本発明の接続管据付け金具の図３は接続管据付け金具の裏面図、図４は接続管据付け金具の側方から見た説明図、図５は金具本体の裏面図、図６は図５のＡーＡ断面図である。
【００１０】
これらの図において、本発明の接続管据付け金具Ａは、ユニットバスの浴室壁６の一か所に設けた取付け穴１２に取付けられている。この接続管据付け金具Ａは、金具本体１３，挟着用部材１４，ボルト１５，環状の平シート３０，環状の平パッキン３１によって構成されている。ボルト１５はネジ（図示せず）であってもよい。
【００１１】
金具本体１３は、金属又は合成樹脂によって形成された碗状のカバー部１６と、ゴム等の弾性材によって形成された平面円形状の壁面当接部１７とからなる。
【００１２】
カバー部１６は、壁面当接部１７の上面を被覆する（図２参照）が形成されている。また、この穴１９の両側近傍には、往路用接続管４と復路用接続管５を挿通できる挿通穴２０，２１が形成されている。
【００１３】
壁面当接部１７は、全体が浴室壁６に設けた取付け穴１２の径より大きい円盤状であって、中央にはボルト１５のネジ棒部１８を挿入できる穴２２が形成されている。この穴２２はカバー部１６の穴１９（図２参照）と一致する。更に壁面当接部１７の裏面（当接面）側には環状凸部２３が形成されている。この環状凸部２３の外径は、浴室壁６の取付け穴１２の径より僅かに小さく形成され、取付け穴１２に嵌合できるようにしてある。環状凸部２３の径内には円形凹部２４が形成されている。この円形凹部２４内には、上記のカバー部１６の挿通穴２０，２１と一致する位置に、往路用接続管４と復路用接続管５を挿通させることができる挿通穴２５，２６が夫々形成してある。各挿通穴２５，２６の内周には、山型状の環状突部２７（図６参照）が形成され、挿通させる往路用接続管４，復路用接続管５の外面に密着するようにしてある。各挿通穴２５，２６に往路用接続管４，復路用接続管５を夫々挿通した場合、往路用接続管４並びに復路用接続管５の外面に環状突部２７が密着し、往路用接続管４並びに復路用接続管５が簡単には動かなくなる。そのため、往路用接続管４や復路用接続管５を引っ張った時に両端の接続箇所に無理な引っ張り力がかかるのを防止することができる。
【００１４】
挟着用部材１４は、長方形の金属板の長手方向の両側を折曲して横断面コ字状に形成したものであり、長さは浴室壁６の取付け穴１２の径の寸法より長く形成してある。挟着用部材１４の中央部には、ボルト１５のネジ棒部１８を螺合できるネジ穴２８が形成されている。また挟着用部材１４の両側には、壁面当接部１７の環状凸部２３と係合する凹部２９（図４参照）が形成されている。
【００１５】
上記のような構成からなる接続管据付け金具Ａを浴室壁６の取付け穴１２に取り付ける場合は、浴室壁６の外面側から金具本体１３の壁面当接部１７の環状凸部２３を取付け穴１２に嵌着させ、この壁面当接部１７の外表面にカバー部１６を被せる。このカバー部１６の穴１９から平パッキン３１，平シート３０を介してボルト１５のネジ棒部１８を壁面当接部１７の穴２２に挿入する。更にこのネジ棒部１８には浴槽１側から挟着用部材１４を螺合させ、この挟着用部材１４を壁面当接部１７の裏面側に軽く当接させておく。
【００１６】
このようにして浴槽１の側面部２に取り付けた湯水循環接続具３に一端を接続した往路用接続管４並びに復路用接続管５の他端を、金具本体１３（壁面当接部１７，カバー部１６）の各挿通穴２５（２０），２６（２１）から挿通して浴室外に導く。浴室外に導かれた往路用接続管４並びに復路用接続管５は、その端を給湯装置（図示せず）に接続する。
【００１７】
その後はボルト１５を浴室外から増す締めする。この時、挟着用部材１４はボルト１５とともに回ろうとするが、挟着用部材１４の両端側が往路用接続管４と復路用接続管５に当たって回転を阻止される。そのため、作業員一人が浴室外から増す締めして、接続管据付け金具Ａを浴室壁６の取付け穴１２に固定することができる。
【００１８】
尚、接続管据付け金具Ａの浴室壁６の取付け穴１２への取付けは、図示の例とは反対に金具本体１３を浴室内に配し、挟着用部材１４を浴室外に配して取付けてもよい。
【００１９】
また、浴室壁６の取付け穴１２への接続管据付け金具Ａの取付けや、往路用接続管４並びに復路用接続管５の取付け手順は、上記した手順に限定されるものではない。例えば往路用接続管４と復路用接続管５並びにボルト１５を先に金具本体１３に挿着し、往路用接続管４と復路用接続管５の一端を浴槽１に取り付けた湯水循環接続具３に接続し、その後に浴室内からボルト１５に挟着用部材１４を螺合させておき、浴室外に出てボルト１５を回して接続管据付け金具Ａを取付け穴１２に固定してもよい。勿論、その他と取付け手順であってもよい。
【００２０】
また、往路用接続管４並びに復路用接続管５は、金属パイプ、合成樹脂パイプ、ゴムバイプ、ビニールパイプ、その他、種々の材質によって形成されたものである。
【００２１】
【発明の効果】
このように本発明の浴室用の接続管据付け金具では、浴室壁の一か所に取付け穴を設けるだけでよく、従来は２つの穴を開けなければならなかった場合に比べ穴開け作業を容易に且つ短時間で行うことができる。また、浴室壁への接続管据付け金具の取付け作業を一人の作業員でも簡単に且つ短時間で行うことができる。
【図面の簡単な説明】
【図１】本発明の接続管据付け金具の使用状態を示す説明図である。
【図２】本発明の接続管据付け金具の使用状態の要部断面図である。
【図３】本発明の接続管据付け金具の裏面図である。
【図４】本発明の接続管据付け金具に往路用接続管（又は復路用接続管）を挿着した状態の側面図である。
【図５】壁面当接部１７の平面図である。
【図６】図５のＩーＩ断面図である。
【図７】従来の接続管据付け金具の使用状態を示す説明図である。
【図８】浴室壁への従来の接続管据付け金具の取付け状態を示す断面図である。
【符号の説明】
Ａ     接続管据付け金具
４     往路用接続管
５     復路用接続管
６     浴室壁
１２   取付け穴
１３   金具本体
１４   挟着用部材
１５   ボルト
２０   挿通穴
２１   挿通穴
１９   穴
２２   穴
２５   挿通穴
２６   挿通穴
２８   ネジ穴
【図１】
0003814377.tif 000002
【図２】
0003814377.tif 000003
【図３】
0003814377.tif 000004
【図４】
0003814377.tif 000005
【図５】
0003814377.tif 000006
【図６】
0003814377.tif 000007
【図７】
0003814377.tif 000008
【図８】
0003814377.tif 000009